(57)【要約】【課題】壁面の形状によらずまた壁面の材質が鉄等の磁石吸引性があるものであっても十分な吸着力を発揮できる吸着具を提供する。【解決手段】吸着具１０は、吸着本体１１に取付部材２６が螺着されている。吸着本体１１は、軸孔１２ａを有する筒状の基部１２と、基部１２の一端外周面に同軸状に一体で設けられた弾性変形可能な吸盤部１４と、基部１２外周面に同軸状に一体で設けられて吸盤部１４を覆って広がる弾性変形可能な外吸盤部１６と、基部１２の他端側に同軸状に取り付けられた軸方向に弾性変形可能で軸孔１２ａに連通する内部空間Ｐを有する中間部１９と、中間部１９の中央にて軸方向に延びた内部空間Ｐに連通する貫通孔２４ａを有する取付筒部２４とを有する。取付部材２６は、軸部２７にて取付筒部２４外周面に螺合されて着脱可能に取り付けられて軸部２７の貫通孔２７ａの開口を塞ぐ。【選択図】図２
2010169241.tif 000002
【特許請求の範囲】
【請求項１】
軸孔を有する筒状の基部と、該基部の一端外側面に同軸状に設けられた弾性変形可能な吸盤部と、前記基部の他端側に同軸状に設けられた軸方向に弾性変形可能で前記軸孔に連通する内部空間を有する中間部と、該中間部における前記基部の反対位置にて軸方向に延びた前記内部空間に連通する貫通孔を有する取付筒部と、該取付筒部に着脱可能に取り付けられて前記貫通孔の開口を塞ぐ取付部材とを備えたことを特徴とする吸着具。
【請求項２】
前記基部外側面に同軸状に前記吸盤部を覆って広がる弾性変形可能な外吸盤部を設けたことを特徴とする請求項１に記載の吸着具。
【請求項３】
前記中間部が、前記基部の他端側に取り付けられた弾性変形可能な中間吸盤部と、該中間吸盤部の外周縁に重ね合わされて一体で取り付けられて該中間吸盤部との間に前記内部空間を形成する硬質の中間盤部とにより構成されたことを特徴とする請求項１又は２に記載の吸着具。
【請求項４】
前記基部の少なくとも一端側が磁石で構成されたことを特徴とする請求項１から３のいずれか一項に記載の吸着具。
【請求項５】
前記外吸盤部の外側面から突出した引張片を設けたことを特徴とする請求項２から４のいずれか一項に記載の吸着具。
【請求項６】
軸孔を有する筒状の基部と、該基部の一端外側面に同軸状に設けられた弾性変形可能な吸盤部と、前記基部の他端に設けられて軸方向に延びた前記軸孔に連通する貫通孔を有する取付筒部と、該取付筒部に着脱可能に取り付けられて前記貫通孔の開口を塞ぐ取付部材とを備えたことを特徴とする吸着具。
【請求項７】
前記基部外側面に同軸状に設けられて前記吸盤部を覆って広がる弾性変形可能な外吸盤部を設けたことを特徴とする請求項６に記載の吸着具。
【請求項８】
前記基部の少なくとも一端側が磁石で構成されたことを特徴とする請求項６又は７に記載の吸着具。
【発明の詳細な説明】
【技術分野】
【０００１】
本発明は、建物等の壁面や板面に吸着されて物を引っ掛けて吊り下げるための吸着具に関する。
【背景技術】
【０００２】
従来、この種の吸着具は、例えば特許文献１に示すように、吸盤の外面中央の係着軸にフックを係着したものであり、吸盤を平坦な壁面に押し付けることにより吸盤と壁面の間が低圧状態にされ、それにより発生する吸着力によって壁面に強固に固定され、フックにカレンダーや花器等の小物を吊り下げられるようになっている。この吸着具を壁面から取り外すときは、吸盤と壁面間の低圧状態を解除する必要があり、そのため手で吸着具を引っ張ることにより取り外されていた。しかし、吸盤が強固に壁面に吸着しているため、取り外しが非常に手間であった。また、相手壁面が平坦であれば、吸盤と壁面の間を低圧状態に保持できるが、例えばタイルを貼り合わせた場合のように互いに交差した多数の溝で細かく仕切られたような壁面に吸盤を取り付ける場合には、吸盤が溝を跨いだ状態になって溝から空気が漏れるため、吸盤と壁面間を低圧状態に保持することができず、そのため、吸盤を壁面に固定させる吸着力が損なわれるという問題があった。
【特許文献１】特開平１１−２４１７１７号公報
【発明の開示】
【発明が解決しようとする課題】
【０００３】
本発明は、上記問題を解決しようとするもので、壁面からの取り外しが容易であり、また壁面の形状や材質によらず強い吸着力で壁面に取り付けられる吸着具を提供することを目的とする。
【課題を解決するための手段】
【０００４】
上記目的を達成するために本発明の構成上の特徴は、軸孔を有する筒状の基部と、基部の一端外側面に同軸状に設けられた弾性変形可能な吸盤部と、基部の他端側に同軸状に設けられた軸方向に弾性変形可能で軸孔に連通する内部空間を有する中間部と、中間部における基部の反対位置にて軸方向に延びた内部空間に連通する貫通孔を有する取付筒部と、取付筒部に着脱可能に取り付けられて貫通孔の開口を塞ぐ取付部材とを備えたことにある。
【０００５】
本発明においては、吸盤部を壁面に押し付けて取付部材を押さえることにより、吸盤部と壁面間の空気が押し出されると共に、中間部も軸方向に押しつぶされて内部空間が圧縮されることにより、吸盤部と壁面間に加えて中間部の内部空間を合わせた広い部分が低圧状態にされる。その結果、本発明においては、吸盤部において壁面に対する大きな吸着力が発生して吸着具が壁面に強固に固定され、吸着具の取付部材に物を安定して吊るすことができる。さらに、本発明においては、吸着具を取り外す場合は、取付部材により取付筒部の開口を開放することにより、取付筒部の貫通孔を通して内部空間と吸盤部と壁面間に空気が流れ込み、吸盤部と壁面間の低圧状態が解除されるため、吸着具を壁面から容易に取り外すことができる。
【０００６】
また、本発明において、基部外側面に同軸状に吸盤部を覆って広がる弾性変形可能な外吸盤部を設けることができる。これにより、通常の平坦な壁面に対しては、外吸盤部と吸盤部を壁面に押し付けて取付部材を押さえることにより、両吸盤部を合わせた強力な吸着力が得られる。また、タイルを貼り合わせた場合のように互いに溝で小領域に仕切られたような壁面に対しては、外吸盤部と壁面間の低圧状態は維持できないが、外吸盤部と共に小領域より面積の小さい内側の吸盤部を溝で仕切られた小領域内に押し付けることにより、吸盤部と壁面間の空気が押し出されて、吸盤部と壁面間及び中間部の内部空間を合わせた広い部分が低圧状態にされる。これにより、溝で小領域に細かく仕切られた壁面に対しても、吸盤部を小領域に取り付けることによって溝の影響を受けることなく壁面に対する大きな吸着力が発生し、吸着具が壁面に強固に固定されるため、吸着具の取付部材に物を安定して吊るすことができる。その結果、本発明によれば、壁面の状態に応じて外吸着部、吸着部のいずれかが強い吸着力で壁面に固定されるため、壁面の状態にかかわらず吸着具を壁面に強固に固定させることができる。
【０００７】
また、本発明において、中間部が、基部の他端側に取り付けられた弾性変形可能な中間吸盤部と、中間吸盤部の外周縁に重ね合わされて一体で取り付けられて中間吸盤部との間に内部空間を形成する硬質の中間盤部とにより構成されることが好ましい。これにより、取付部材を押すことによって、硬質の中間盤部が弾性変形可能な中間吸盤部を軸方向に押圧し、中間部が軸方向に均一に圧縮されるため、内部空間が安定した低圧状態にされる。
【０００８】
また、本発明において、基部の少なくとも一端側を磁石で構成することができる。このように基部を磁石としたことにより、壁面が鉄等の磁石が吸着可能な材質の場合には、外吸盤部と吸盤部を壁面に押し付けることにより磁石部が壁面に接触し、その磁力によって吸着具が強い吸着力で壁面に強固に固定される。また、磁石によって吸着具を針金等に吊るすこともできる。その結果、本発明によれば、壁面が鉄等の磁石が吸着可能な材質の場合には、上述した外吸着部と吸着部の吸着力に加えて、磁石の強力な吸着力により吸着具を一層強固に壁面に固定させることができる。
【０００９】
また、本発明において、外吸盤部の外側面から突出した引張片を設けることができる。これにより、取付筒部から取付部材を取り外した後に、吸盤部が壁面に接触している場合は外吸盤部と壁面間の低圧状態が残されるが、外吸盤部に設けた引張片を引っ張ることにより、外吸盤部と壁面との間の低圧状態が簡単に解除され、吸着具を壁面から容易に取り外すことができる。
【００１０】
また、上記発明に係る吸着具において、中間部を除き、基部に直接取付筒部を取り付けることも可能である。これにより、吸着具において、中間部を設けた場合に比べて吸着力の若干の低下はあるが、その他の上述した発明の効果と同様の効果が得られる。
【発明の効果】
【００１１】
本発明においては、取付部材を取付筒部から取り外すことにより、取付筒部の貫通孔を通して内部空間と吸盤部と壁面間に空気が流れ込み、吸盤部と壁面間の低圧状態が解除されるため、壁面に強固に固定された吸着具を容易に取り外すことができる。また、本発明においては、壁面の状態や材質に応じて吸着具の吸盤部と外吸盤部とあるいは磁石からなる基部の少なくともいずれかが強い吸着力で壁面に固定されるため、壁面の状態や材質にかかわらず吸着具を強い吸着力で壁面に固定させることができる。
【発明を実施するための最良の形態】
【００１２】
以下、本発明の一実施形態について図面を用いて説明する。図１〜図４は、実施例１である建物の壁面等に吸着固定されてカレンダーや花器等の小物を引っ掛けて吊り下げるための吸着具を正面図、軸線位置での断面図、平面図及び底面図により示したものである。吸着具１０は、吸着本体１１と取付部材２６とにより構成されている。図５，図６は、吸着本体１１を正面図と平面図により示し、図７，図８は、取付部材を軸線位置でん断面図と底面図により示したものである。なお、吸着具１０の一端と他端については、図１，図２の下端と上端に合わせるものとする。
【００１３】
吸着本体１１は、軸孔１２ａを有する円筒形の基部１２を設けている。基部１２は、樹脂製であって、一端側のみが薄い円環形の磁石１３になっている。基部１２の一端側である磁石１３の外周には略円錐面状に径方向及び軸方向外方に広がった小径の吸盤部１４が中心孔１４ａにて嵌め合わされて接着により一体で取り付けられている。吸盤部１４は、その外径が後述するタイルのような小面積の壁部材内に収まる程度の大きさになっている。基部１２の他端外側面には、大径の外吸盤部１６が中心孔１６ａにて嵌め合わされて吸盤部１４に揃えて略円錐面状に径方向及び軸方向外方に広がってその外周縁が吸盤部１４の外周縁より軸方向外方に延びており、基部１２に一体で設けられている。外吸盤部１６の外側面（上面）の外縁側一か所には、引張片１８がわずかに突出して設けられている。なお、引張片１８については、必要に応じてこれを省くことも可能である。
【００１４】
また、基部１２の他端面には、略円錐面状に軸方向及び径方向外方に広がった中間吸盤部２１が接着されて一体で取り付けられている。中間吸盤部２１は、中心に基部１２の軸孔１２ａと同一径の中心孔２１ａを有しており、その外径が吸盤部１４と外吸盤部１６の外径の中間の大きさになっている。吸盤部１４、外吸盤部１６、中間吸盤部２１は、弾性変形可能な熱可塑性ポリウレタン系やポリスチレン系のエラストマーあるいは天然ゴムや合成ゴム等のゴム材料で形成されている。
【００１５】
中間吸盤部２１の外周縁には、中間吸盤部２１と略同一形状の中間盤部２２が重ね合わされて接着により一体で取り付けられており、両者により内部空間Ｐを有する中間部１９が構成されている。中間盤部２２の外側面中央には、円筒形の取付筒部２４が軸方向に延びて一体で設けられている。取付筒部２４は軸心を貫通した貫通孔２４ａを有しており、中間盤部２２の中心孔２２ａと連通している。取付筒部２４の外周面にはねじ溝２４ｂが形成されている。中間盤部２２及び取付筒部２４は、ポリエチレン、ポリプロピレン等の硬質樹脂製であり、両者は射出成形により一体で形成される。取付筒部２４には取付部材２６が取り外し可能に螺着されている。取付部材２６は、硬質樹脂製で、円筒形の軸部２７とその上端に同軸状に被さって一体で設けられた薄肉で円錐台形状の釦部２８を有しており、軸部２７内周面にねじ溝２７ａが形成されている。取付部材２６は、軸部２７のねじ溝２７ａを取付筒部２４の外周面のねじ溝２４ｂに螺合させることにより、取付筒部２４に着脱可能に取り付けられて、取付筒部２４の貫通孔２４ａの上端開口を閉鎖できるようになっている。
【００１６】
上記吸着具１０としては、以下に順次示す第１の使用例、第２の使用例、第３の使用例が可能になる。第１の使用例として、通常の平坦な壁面Ｍに対しては、図９に示すように、吸着具１０の外吸盤部１６と吸盤部１４を壁面Ｍに押し付け、取付部材２６を押し付けて中間部１９を圧縮させることにより、外吸盤部１６及び吸盤部１４と壁面Ｍ間の空気が押し出されると共に、中間部１９も押圧されて内部空間Ｐが圧縮され、外吸盤部１６及び吸盤部１４と壁面Ｍ間及び中間部１９の内部空間Ｐを合わせた広い部分が低圧状態にされる。これにより、吸盤部１４及び外吸盤部１６において壁面に対する大きな吸着力が発生して、吸盤部１４及び外吸盤部１６が壁面Ｍに強固に固定され、その結果、取付部材２６の軸部２７に物を安定して吊るすことができる。吸着具１０を取り外す場合は、取付部材２６を回して取付筒部２４の上端開口を開放することにより、取付筒部２４の貫通孔２４ａを通して内部空間Ｐと外吸盤部１６及び吸盤部１４と壁面Ｍ間に空気が流れ込み、外吸盤部１６及び吸盤部１４と壁面Ｍ間の低圧状態が解除されるため、吸着具１０を壁面Ｍから容易に取り外することができる。
【００１７】
また、第２の使用例として、タイルを貼り合わせた場合のように互いに溝で小領域に仕切られたような壁面Ｎに対しては、図１０に示すように、小領域Ｎ１より面積の小さい吸盤部１４を溝Ｖで仕切られた小領域Ｎ１内に押し付けることにより、吸盤部１４と壁面Ｎ間の空気が押し出されて、吸盤部１４と壁面間及び中間吸盤部２１と中間盤部２２間の内部空間Ｐがそれぞれ低圧状態にされる。これにより、外吸盤部１６では吸着力が得られ難い溝で細かく仕切られた壁面Ｎにでも、吸盤部１４を小領域Ｎ１内に取り付けることによって溝Ｖの影響を受けることなく小領域Ｎ１に対する吸着力が発生して吸着具１０が壁面Ｎに強固に固定される。その結果、取付部材２６の軸部２７に物を安定して吊るすことができる。
【００１８】
さらに、第３の使用例として、壁面Ｒが鉄等の磁石が吸着可能な材質の場合には、図１１に示すように、外吸盤部１６と吸盤部１４を押しつぶすことにより、基部１２一端側の磁石１３が壁面Ｒに接触してその磁力によって壁面Ｒに強固に固定される。これにより、壁面Ｒが鉄等の磁石が吸着可能な材質の場合には、吸着具１０が磁石製の基部１２の強力な吸着力によって壁面Ｒに強固に固定される。その結果、本実施例においては、壁面の状態や材質に応じて吸着具１０の外吸盤部１６と吸盤部１４あるいは基部１２の少なくともいずれかの強力な吸着力によって壁面に固定されるため、壁面の状態や材質にかかわらず吸着具１０を十分な吸着力で壁面に強固に固定させることができる。また、磁石１３を利用することにより、吸着具１０を針金等に取り付けることも可能である。
【００１９】
上記実施例１の変形例１として、図１２に示すように、基部１２の一端に磁石１３を設ける代わりに全体を硬質樹脂製の基部１２Ａとしたものであり、その他の構成については実施例１と同様である。変形例１においては、壁面が鉄等の磁石が吸着可能な材質の場合には、磁石によって吸着具１０Ａの壁面に対する吸着力を高めることはできないが、吸盤部１４と外吸盤部１６の作用により上記実施例に示したと同様に壁面Ｍ，Ｎに対して吸着具１０Ａを壁面に固定させることができる。また、変形例の吸着具１０Ａは、実施例の吸着具１０に比べて構造が簡単なので安価に提供されるため、用途に応じて有効活用が可能である。
【００２０】
上記実施例１の変形例２として、図１３に示すように、吸着具１０Ｂの基部１２Ｂ全体を磁石製としたものである。これによっても、実施例１と同様の効果が得られる。また、実施例１の変形例３として、図１４に示すように、吸盤部１４を除いた吸着具１０Ｃとすることも可能であり、あるいは外吸盤部１６を除くことも可能である。これにより、実施例１のように、壁面の種々の状態に対応することはできないが、壁面が均一な場合には対応可能となる。
【００２１】
次に、実施例２について説明する。図１５，図１６は、実施例２に係る吸着具３０を正面図、軸線位置での断面図により示し、図１７は吸着本体３１を正面図により示したものである。実施例２の吸着具３０は、上記吸着具１０において、中間部１９を削除し、基部１２の上端に直接上記取付筒部２４を一体で立設したものである。吸着具３０のその他の構成については、上記吸着具１０と同様であり、同一部分については同一符号で示すものとする。これにより、吸着具３０は、中間部１９を設けた吸着具１０に比べて吸着力の若干の低下はあるが、その他の上述した発明の効果と同様の効果が得られる。
【００２２】
なお、実施例２の変形例として、実施例１の変形例１，２に対応して、基部１２をすべて樹脂製としたり、あるいはすべて磁石とすることもできる。また、実施例１の変形例３に対応して、図１７に示すように、上記吸着具３０から吸盤部１４を除き、基部１２の磁石を除いて長さを短くすることもできる。これらの変形例においても、中間部１９を除いた点以外は変形例１，２，３と同様の効果が得られる。
【００２３】
なお、上記各実施例においては、取付筒部２４の外周面にねじ溝を設け、取付部材２６の軸部２７の内周面にねじ溝を設けているが、これに代えて取付筒部２４の内周面にねじ溝を設け、取付部材２６の軸部の外周面にねじ溝を設け、取付筒部２４の貫通穴内に取付部材２６の軸部を螺合させてもよい。また、取付筒部２４と取付部材２６の嵌め合わせをねじ溝によらず圧入により行うことも可能である。上記各実施例においては、吸着具を建物の壁に取り付けているが、これに限らず、家具や事務用の棚や机等の壁面や板面に使用することも勿論可能である。その他、上記実施例に示した吸着具の具体的構成については一例であり、本発明の主旨を逸脱しない範囲で種々変更して実施することが可能である。
【産業上の利用可能性】
【００２４】
本発明は、取付部材を取付筒部から取り外すことにより、吸盤部と壁面間の低圧状態が解除されるため、壁面に強固に固定された吸着具を容易に取り外すことができ、また壁面の状態や材質に応じて吸着具の吸盤部と外吸盤部あるいは磁石の少なくともいずれかが強力な吸着力で壁面に固定されるため、壁面の状態や材質にかかわらず吸着具を十分な吸着力で壁面に固定させることができ、吸着具に物を吊るすことができるので、有用である。
【図面の簡単な説明】
【００２５】
【図１】本発明の実施例１である吸着具に示す正面図である。
【図２】同吸着具を示す軸線位置での断面図である。
【図３】同吸着具を示す平面図である。
【図４】同吸着具を示す底面図である。
【図５】同吸着具の吸着本体を示す正面図である。
【図６】同吸着具の吸着本体を示す平面図である。
【図７】同吸着具の取付部材を示す軸線位置での断面図である。
【図８】同吸着具の取付部材を示す底面図である。
【図９】同吸着具の第１の使用例を示す断面図である。
【図１０】同吸着具の第２の使用例を示す断面図である。
【図１１】同吸着具の第３の使用例を示す断面図である。
【図１２】変形例１である吸着具に示す軸線位置での断面図である。
【図１３】変形例２である吸着具に示す軸線位置での断面図である。
【図１４】変形例３である吸着具に示す軸線位置での断面図である。
【図１５】実施例２である吸着具に示す正面図である。
【図１６】同吸着具に示す軸線位置での断面図である。
【図１７】同吸着具の吸着本体を示す正面図である。
【図１８】実施例２の変形例である吸着具を示す平面図である。
【符号の説明】
【００２６】
１０…吸着具、１１…吸着本体、１２…基部、１４…吸盤部、１６…外吸盤部、１８…引張片、１９…中間部、２１…吸着具、２４…取付筒部、２６…取付部材。
【図１】
2010169241.tif 000003
【図２】
2010169241.tif 000004
【図３】
2010169241.tif 000005
【図４】
2010169241.tif 000006
【図５】
2010169241.tif 000007
【図６】
2010169241.tif 000008
【図７】
2010169241.tif 000009
【図８】
2010169241.tif 000010
【図９】
2010169241.tif 000011
【図１０】
2010169241.tif 000012
【図１１】
2010169241.tif 000013
【図１２】
2010169241.tif 000014
【図１３】
2010169241.tif 000015
【図１４】
2010169241.tif 000016
【図１５】
2010169241.tif 000017
【図１６】
2010169241.tif 000018
【図１７】
2010169241.tif 000019
【図１８】
2010169241.tif 000020